(57)【要約】【課題】たばこの煙を含む気体を清浄化するとともに、壁部材を用いて囲いを形成することなく、たばこの煙が外部に拡散されるのを防ぐことが可能な喫煙スタンド装置を提供する。【解決手段】この喫煙スタンド装置１は、支柱２０の下端に設けられた台座部１０と、支柱２０の上端に設けられたケース部３０と、ケース部３０またはその近傍に設けられ、支柱２０の周囲の気体を吸い込んで清浄化してケース部３０に排出する清浄装置５０とを備え、清浄装置５０から排出された清浄気体が、ケース部３０の形状に沿って移動してケース部３０の端部から下方に向かって排出されることにより、エアーカーテン気流が形成されることを特徴とする。【選択図】図１
2020070594.tif 000002
【特許請求の範囲】
【請求項１】
支柱の下端に設けられた台座部と、
前記支柱の上端に設けられたケース部と、
前記ケース部またはその近傍に設けられ、前記支柱の周囲の気体を吸い込んで清浄化して前記ケース部に排出する清浄装置とを備え、
前記清浄装置から排出された清浄気体が、前記ケース部の端部から下方に向かって排出されることにより、エアーカーテン気流が形成されることを特徴とする喫煙スタンド装置。
【請求項２】
前記清浄装置は、
気体を吸い込むとともに送り出す第１ファン装置と、
前記第１ファン装置から送り出された気体を清浄化する気体処理部とを備え、
前記気体処理部は、たばこの煙に含まれる粒子を除去可能な粒子除去部と、たばこの煙の臭いを除去可能な脱臭部とを有していることを特徴とする請求項１に記載の喫煙スタンド装置。
【請求項３】
前記支柱は筒状であり、
前記台座部またはその近傍に設けられ、前記支柱の周囲の気体を吸い込んで前記支柱の内部に送り出す第２ファン装置と、
前記支柱に設けられ、前記支柱の内部を上方に移動した気体を、前記清浄装置の吸込口より下方となる位置で前記支柱の外部に排出する気体排出部とを備えることを特徴とする請求項１または請求項２に記載の喫煙スタンド装置。
【発明の詳細な説明】
【技術分野】
【０００１】
本発明は、たばこの煙を含む気体を清浄化して、清浄気体を排出する清浄装置を有する喫煙スタンド装置に関する。
【背景技術】
【０００２】
近年、たばこの副流煙による非喫煙者の健康被害が深刻な問題となっている。そのため、駅、空港、ホテル等の屋内施設には、喫煙者がたばこを吸うための喫煙ブースが設けられ、非喫煙者がたばこの副流煙による被害を受けることがないように配慮されている。
【０００３】
このような喫煙ブースの一例として、特許文献１に記載の喫煙ブースが知られている。この喫煙ブースでは、支柱、梁、側壁、天井等によって喫煙エリアとしての閉鎖された空間が実現しており、たばこの煙が喫煙ブースの外に拡散されないようになっている。また、当該喫煙ブースの天井部には、排気ファンおよび排気ダクトが設けられており、排気ファンの作動により、喫煙ブース内のたばこの煙が排気ダクトを介して外部に排出されるようになっている。
【先行技術文献】
【特許文献】
【０００４】
【特許文献１】特開２０１０−１５０７５９号公報
【発明の概要】
【発明が解決しようとする課題】
【０００５】
しかしながら、上述したような従来の喫煙ブースは、壁部材で囲いを形成して喫煙エリアを実現しているため、喫煙者が出入りをするための出入口を設けなければならない。このため、喫煙者が扉を開けて出入口から出入りする度に、喫煙ブース内のたばこの煙が外部に漏れ出てしまうおそれがある。
【０００６】
本発明は、前記事情に鑑みてなされたもので、たばこの煙を含む気体を清浄化するとともに、壁部材を用いて囲いを形成することなく、たばこの煙が外部に拡散されるのを防ぐことが可能な喫煙スタンド装置を提供することを目的とする。
【課題を解決するための手段】
【０００７】
上記課題を解決するために、本発明の喫煙スタンド装置は、
支柱の下端に設けられた台座部と、
前記支柱の上端に設けられたケース部と、
前記ケース部またはその近傍に設けられ、前記支柱の周囲の気体を吸い込んで清浄化して前記ケース部に排出する清浄装置とを備え、
前記清浄装置から排出された清浄気体が、前記ケース部の端部から下方に向かって排出されることにより、エアーカーテン気流が形成されることを特徴とする。
【０００８】
本発明においては、支柱の周囲の気体が清浄装置で清浄化され、清浄装置から排出された清浄気体がケース部の形状に沿って移動してケース部の端部から下方に向かって排出されることで、支柱の周囲にエアーカーテン気流が形成される。このため、たばこの煙を含む気体を清浄化しつつ、壁部材を用いて囲いを形成せずに、たばこの煙が外部に拡散されるのを防ぐことができる。
【０００９】
また、本発明の前記構成において、前記清浄装置は、気体を吸い込むとともに送り出す第１ファン装置と、前記第１ファン装置から送り出された気体を清浄化する気体処理部とを備え、前記気体処理部は、たばこの煙に含まれる粒子を除去可能な粒子除去部と、たばこの煙の臭いを除去可能な脱臭部とを有していることを特徴とする。
【００１０】
このような構成によれば、清浄装置が粒子除去部と脱臭部とを有しているため、たばこの煙に含まれる粒子とたばこの煙の臭いとが除去された清浄気体が排出されるようになっている。これにより、高度に清浄化された気体によってエアーカーテン気流を実現することができる。
【００１１】
また、本発明に前記構成において、前記支柱は筒状であり、前記台座部またはその近傍に設けられ、前記支柱の周囲の気体を吸い込んで前記支柱の内部に送り出す第２ファン装置と、前記支柱に設けられ、前記支柱の内部を上方に移動した気体を、前記清浄装置の吸込口より下方となる位置で前記支柱の外部に排出する気体排出部とを備えることを特徴とする。
【００１２】
このような構成によれば、第２ファン装置により吸い込まれ、筒状の支柱の内部を移動した気体が、清浄装置の吸込口より下方となる位置で気体排出部を介して支柱の外部に排出されるため、気体排出部から清浄装置に向かう気流が発生する。これにより、喫煙者が吐き出したたばこの煙を効率よく清浄装置に導き、気体を清浄化する効率を上昇させることができる。
【発明の効果】
【００１３】
本発明によれば、清浄装置で気体が清浄化され、清浄気体でエアーカーテン気流が形成されるので、たばこの煙を含む気体を清浄化するとともに、壁部材を用いて囲いを形成することなく、たばこの煙が外部に拡散されるのを防ぐことが可能な喫煙スタンド装置を提供することができる。
【図面の簡単な説明】
【００１４】
【図１】本発明の実施の形態に係る図であって、喫煙スタンド装置を示す概略構成図である。
【図２】同、喫煙スタンド装置の変形例を示す概略構成図である。
【発明を実施するための形態】
【００１５】
以下、図面を参照して本発明の実施の形態について説明する。
図１は、本実施の形態に係る喫煙スタンド装置を示す概略構成図である。図１は、２名の喫煙者が喫煙スタンド装置１を利用している様子を示している。図１に示すように、喫煙スタンド装置１の設置面を設置面Ｆとする。喫煙スタンド装置１は、支柱２０と、支柱２０の一端部（下端部）に設けられた台座部１０と、支柱２０の他端部（上端部）に設けられたケース部３０とを有している。以下、喫煙スタンド装置１において、台座部１０側を「下」とし、ケース部３０側を「上」とする。
【００１６】
喫煙スタンド装置１は、喫煙者に喫煙エリアを提供するために、屋内施設等に設置されている。屋内施設には、ホテル、映画館、駅、空港等がある。喫煙スタンド装置１は、同時に２〜４名程度の喫煙者が使用できるようになっている。
【００１７】
台座部１０は、円板状等に形成され、床等の設置面Ｆに設置されている。支柱２０は、筒状に形成され、台座部１０の上面に立設されている。ケース部３０は、下方側の一端が開口した箱状に形成され、支柱２０の上端部に設けられている。したがって、ケース部３０は、支柱２０によって支持されている。ケース部３０またはその近傍には、清浄装置５０が設けられている。清浄装置５０は、支柱２０とケース部３０との連結部より下方となる位置に設けられている。清浄装置５０は、箱状のカバー５１並びにカバー５１の内部に収容されたファン装置５２（第１ファン装置）および気体処理部５３を有している。また、カバー５１は、下面に設けられた吸込口５１ａと、上面に設けられた排出口５１ｂとを有している。
【００１８】
ファン装置５２は、カバー５１の内部における下方側（台座部１０側）に設けられ、ファンユニット５２ａを有している。ファンユニット５２ａは、ファンと、このファンを回転させる電動モータとを備えている。ファン装置５２は、たばこの煙を含む気体を、吸込口５１ａを介してカバー５１の内部に吸い込むとともに、当該気体をファン装置５２の上方に位置する気体処理部５３に送り出すようになっている。以下、ファン装置５２が吸い込む気体を第１気体という。
【００１９】
気体処理部５３は、カバー５１の内部における上方側（ケース部３０側）に設けられ、粒子除去部５３ａと、脱臭部５３ｂとを有している。粒子除去部５３ａとしては、たばこの煙に含まれる粒子を除去可能な高性能フィルター等が用いられる。脱臭部５３ｂとしては、たばこの煙の臭いを除去可能な脱臭剤が用いられる。脱臭剤としては、活性炭、ガス吸着樹脂、脱臭ビーズ等が用いられる。気体処理部５３は、ファン装置５２によって送り出された第１気体を通過させて清浄化する。気体処理部５３で清浄化された清浄気体は、排出口５１ｂを介して上方に排出されるようになっている。
【００２０】
このように清浄装置５０は、支柱２０の周囲の気体（第１気体）を下方から吸い込むとともに、清浄気体を上方に排出するようになっている。清浄装置５０から排出された清浄気体は、後述するケース部３０に接触するようになっている。
【００２１】
なお、本実施の形態では、カバー５１内部の下方側にファン装置５２を設け、カバー５１内部の上方側に気体処理部５３を設けるものとしたが、カバー５１内部の上方側にファン装置５２を設け、カバー５１内部の下方側に気体処理部５３を設けてもよい。
【００２２】
また、気体処理部５３が、粒子除去部５３ａと脱臭部５３ｂ（第１の脱臭部）とを有するものとしたが、さらに第２の脱臭部（図示せず）を有するものとしてもよい。第２の脱臭部としては、例えば、第１の脱臭部とは異なる脱臭剤が用いられる。第２の脱臭部をさらに設けた場合、たばこの煙の臭いをより確実に除去することができるという効果を奏する。
【００２３】
ケース部３０は、その中央部が支柱２０の上端部に固定されている。当該固定方法には、例えば、ねじ締め等がある。ケース部３０は、下方側の一端が開口した箱状に形成されている。ケース部３０は、例えば、円形箱状、方形箱状、矩形箱状等に形成される。ケース部３０は、板状の天井部３１と、天井部３１の周囲に形成された壁部である側壁部３２とを有している。側壁部３２は、水平方向（設置面Ｆと平行な方向）に対して垂直となるように設けられ、天井部３１から鉛直下方に向かって延在している。
【００２４】
清浄装置５０から上方に向かって排出された清浄気体は、ケース部３０で反射されて下方に排出されるようになっている。より具体的には、清浄装置５０から上方に向かって排出された清浄気体は、ケース部３０の略中央部に接触した後、ケース部３０の天井部３１に沿って、支柱２０から離れる方向に移動する。そして、ケース部３０の端部である側壁部３２まで到達した清浄気体は、鉛直下方に向かって排出されるようになっている。以下、ケース部３０から下方に向かって排出される清浄気体の気流をエアーカーテン気流という。エアーカーテン気流は、支柱２０の軸方向から見て、支柱２０の周囲に、ケース部３０の外形の形状に合わせた形状（例えば、円形状）で形成されるようになっている。このエアーカーテン気流が形成される位置は、喫煙者の背後となるように、ケース部３０の大きさが設定されている。
【００２５】
支柱２０の下端部側（台座部１０側）であって、台座部１０の上面側となる位置には、周囲の気体を吸い込むファン装置４０（第２ファン装置）が設けられている。ファン装置４０は、円形箱状のカバー４０ａと、カバー４０ａの内部に収容されたファンユニット４０ｂとを有している。カバー４０ａは、外周側面または上面の外周側に設けられた開口である吸込口（図示せず）と、上面の内周側に設けられた開口である排出口（図示せず）とを備えている。ファンユニット４０ｂは、ファンと、このファンを回転させる電動モータとを備えている。カバー４０ａの排出口は、筒状の支柱２０の内部と連通している。ファンユニット４０ｂは、カバー４０ａの吸込口から吸い込んだ気体を、カバー４０ａの排出口を介して支柱２０の内部に送り出すようになっている。すなわち、ファン装置４０は、たばこの煙を含む気体（以下、第２気体という）をカバー４０ａの吸込口を介して吸い込むとともに、第２気体をカバー４０ａの排出口を介して排出し、支柱２０の内部に送り出すようになっている。そして、支柱２０の内部に送り出された第２気体は、支柱２０の内部を上昇するようになっている。
【００２６】
また、支柱２０には、気体排出部６０が設けられている。気体排出部６０は、風量調整部材６１と、排出口６２と、導風部６３とを有している。風量調整部材６１は、支柱２０の内部に設けられており、支柱２０の内部を上昇する気体（第２気体）の流量を調整できるようになっている。風量調整部材６１は、支柱２０と同一部材であっても別部材であってもよい。排出口６２は、風量調整部材６１の下方に設けられた、支柱２０の内部と外部とを連通する開口である。導風部６３は、支柱２０の直径より大きな直径を有する環状部材であり、排出口６２の周囲を囲うようにして、支柱２０に取り付けられている。
支柱２０の内部を上昇した第２気体は、風量調整部材６１によって少なくとも一部の上昇が阻止され、清浄装置５０の吸込口５１ａより下方となる位置で、排出口６２を介して支柱２０の外部に排出されるようになっている。そして、排出口６２から外部に排出された第２気体は、導風部６３によって支柱２０の径方向外側に向かう方向の流れが規制され、清浄装置５０側に上昇するようになっている。このように構成された気体排出部６０は、喫煙者の口から吐き出されたたばこの煙を上方に導く気流（煙誘導気流）を発生させるために設けられている。
【００２７】
また、支柱２０には、支柱２０の直径より大きな直径を有するテーブル７０が設けられている。テーブル７０は、灰皿等を置くことができるようになっている。また、図示は省略しているが、テーブル７０には、支柱２０の内部を上昇する第２気体を取り込むとともに、当該第２気体をテーブル７０の上方に向かって排出する孔が複数設けられている。
【００２８】
清浄装置５０のファン装置５２が吸い込む第１気体には、ファン装置４０を経由する気体（すなわち第２気体）と、ファン装置４０を経由せずにファン装置５２が直接吸い込む気体とがある。なお、エアーカーテン気流の流速を調整するため、ケース部３０の中央近傍に孔（図示せず）を設け、清浄装置５０から上方に排出された清浄気体の一部を当該孔から排出させるように構成してもよい。
【００２９】
喫煙スタンド装置１によれば、支柱２０の周囲の気体が清浄装置５０で清浄化され、清浄装置５０から排出された清浄気体がケース部３０の形状に沿って移動してケース部３０の端部から排出されることで、支柱２０の周囲にエアーカーテン気流が形成される。このため、たばこの煙を含む気体を清浄化しつつ、壁部材を用いることなく、たばこの煙が外部に拡散されることのない喫煙エリアを提供することができる。また、エアーカーテン気流で閉鎖空間（喫煙エリア）を実現しているため、壁部材を用いた場合に比べて意匠性が向上するという効果を奏する。また、たばこを吸い終えた喫煙者がエアーカーテン気流を通過する際に、喫煙者の衣類に付着したたばこの煙が除去されるという効果を奏する。
【００３０】
また、支柱２０の上端部側（ケース部３０側）にファン装置５２が設けられているため、支柱２０付近に上昇流である煙誘導気流が発生し、たばこの煙が効率よく清浄装置５０に導かれるようになっている。これにより、気体を清浄化する効率を上昇させることができる。また、支柱２０の内部を上昇した気体を、清浄装置５０の吸込口５１ａより下方となる位置で支柱２０の外部に排出する気体排出部６０が設けられているため、気体排出部６０から清浄装置５０に向かう上昇流（煙誘導気流）が発生し、喫煙者が吐き出した煙が効率よく清浄装置５０に導かれるようになっている。これにより、気体を清浄化する効率を上昇させることができる。
【００３１】
なお、本実施の形態では、ファン装置４０を設ける位置を台座部１０の上面としたが、ファン装置４０を設ける位置をさらに上方の位置とし、例えばテーブル７０の下面側としてもよい。この場合、喫煙者の足下付近に気流が発生しないため、例えば、たばこの煙が喫煙者のズボンに付着するのを防止できるという効果を奏する。
【００３２】
図２は、喫煙スタンド装置１の変形例を示す概略構成図である。本変形例は、ケース部３０を傘状に形成したものである。ケース部３０は、支柱２０との連結部である中央部が最も上方に位置する頂部となり、外周の端部（外周端）が頂部より下方に位置するように形成されている。また、ケース部３０（天井部３１）の外周端には、鉛直下方に向かって延在する側壁部３２が設けられている。清浄装置５０から上方に向かって排出された清浄気体は、ケース部３０の略中央部に接触した後、天井部３１に沿って支柱２０から離れる方向に移動するようになっている。そして、側壁部３２まで到達した清浄気体が、鉛直下方に向かって排出され、エアーカーテン気流が形成されるようになっている。
【符号の説明】
【００３３】
１  喫煙スタンド装置
１０  台座部
２０  支柱
３０  ケース部
４０  ファン装置（第２ファン装置）
５０  清浄装置
５２  ファン装置（第１ファン装置）
５３  気体処理部
６０  気体排出部
【図１】
2020070594.tif 000003
【図２】
2020070594.tif 000004